(57)【要約】【目的】  湿度調整効果を奏し、内包物を目視できる包装袋を提供する。【構成】  外装フイルムと内装フイルムとその間に配置された中間層からなり、中間層が吸湿層である含水率調整包装袋であって、ａ．外装フイルムの包装物側の内層と内装フイルムの外面側の外層は、線状低密度ポリエチレン、低密度ポリエチレン、中密度ポリエチレン、高密度ポリエチレン、ＥＶＡ、ＥＡＡ、ＥＭＡＡ、ＥＥＡ、アイオノマー、ポリプロピレン、及びそれらのブレンド物、若しくはエチレン−ブテン−１コポリマーとのブレンド物から選んだポリマーのフイルムであり、ｂ．中間層の吸湿層は線状低密度ポリエチレン、ポリプロピレンから選んだポリマーに１〜６０重量％のゼオライトと必要に応じてシリカゲル、生石灰をブレンドした厚み１０μｍ以上のフイルムであり、ｃ．中間層の吸湿層は外装の内層または内装の外層のいずれか一方または双方に接着して配設されたフイルムである、含水率調整包装袋と、この包装袋で包装した包装体である。【選択図】        なし【特許請求の範囲】
【請求項１】
外装フイルムと内装フイルムとその間に配置された中間層からなり、中間層が吸湿層である含水率調整包装袋であって、ａ．外装フイルムの包装物側の内層と内装フイルムの外面側の外層は、線状低密度ポリエチレン、低密度ポリエチレン、中密度ポリエチレン、高密度ポリエチレン、ＥＶＡ、ＥＡＡ、ＥＭＡＡ、ＥＥＡ、アイオノマー、ポリプロピレン、及びそれらのブレンド物、若しくはエチレン−ブテン−１コポリマーとのブレンド物から選んだポリマーのフイルムであり、
ｂ．中間層の吸湿層は線状低密度ポリエチレン、ポリプロピレンから選んだポリマーに１〜６０重量％のゼオライトと必要に応じてシリカゲル、生石灰をブレンドした厚み１０μｍ以上のフイルムであり、
ｃ．中間層の吸湿層は外装の内層または内装の外層のいずれか一方または双方に接着して配設されたフイルムである、含水率調整包装袋。
【請求項２】
吸湿層フイルムの表面積は外層フイルムの表面積の５％〜７０％である、請求項１に記載された含水率調整包装袋。
【請求項３】
外装フイルムが３０ｇ／ｍ２／１ａｔｍ・ｄａｙ以下の水蒸気透過度のフイルムである、請求項１又は２に記載された含水率調整包装袋。
【請求項４】
吸湿層フイルムを内装フイルムまたは外装フイルムのずれかもしくは両方に接着する接着は、はヒートシールである、請求項１ないし３のいずれか１項に記載された含水率調整包装袋。
【請求項５】
要求される吸湿性を有する一定量の吸湿剤を含有した一定面積の吸湿フイルムを水蒸気バリア性を有する外装フイルムとこれに積層した内装フイルムの間に配置し、外装フイルムの内面及び／又は内装フイルムの外層のいずれか一方または双方とヒートシールして固定し、内包する被包装物に要求される水分に内包物の水分量を調節する、含水量調整包装体。
【発明の詳細な説明】
【技術分野】
【０００１】
本発明は、包装袋とこの袋で内包物を包装した包装体に関する。さらに詳しくは、包装物の含水率を調整した包装袋と、これで包装した包装体に関する。
【背景技術】
【０００２】
内包物中の水分が変化すると品質の劣化や変質が発生し、使用できなくなる。この問題を解決するための種々の提案が行われている。包装フイルムが非通湿性であれば、水分は変化しないと考えられた時もあったが、実用されている合成樹脂フイルムは少量であるが水分を透湿するので内包物の水分は変化する。
本発明者は、包装体自体に吸湿性を持たせることによりこの問題を解決した。特許第２８８５０７９号公報の特許発明は、湿度調整効果を奏する包装体の構成材としてアルミ箔を使用するため、内容物を外から見ることが困難であった。
【特許文献１】特許第２８８５０７９号公報
【発明の開示】
【発明が解決しようとする課題】
【０００３】
優れた湿度調整効果を奏するとともに、内包物の状態を目視できる含水量調整包装袋と、該包装体に内包物を提供する。
【課題を解決するための手段】
【０００４】
本発明は、
「１．  外装フイルムと内装フイルムとその間に配置された中間層からなり、中間層が吸湿層である含水率調整包装袋であって、ａ．外装フイルムの包装物側の内層と内装フイルムの外面側の外層は、線状低密度ポリエチレン、低密度ポリエチレン、中密度ポリエチレン、高密度ポリエチレン、ＥＶＡ、ＥＡＡ、ＥＭＡＡ、ＥＥＡ、アイオノマー、ポリプロピレン、及びそれらのブレンド物、若しくはエチレン−ブテン−１コポリマーとのブレンド物から選んだポリマーのフイルムであり、
ｂ．中間層の吸湿層は線状低密度ポリエチレン、ポリプロピレンから選んだポリマーに１〜６０重量％のゼオライトと必要に応じてシリカゲル、生石灰をブレンドした厚み１０μｍ以上のフイルムであり、
ｃ．中間層の吸湿層は外装の内層または内装の外層のいずれか一方または双方に接着して配設されたフイルムである、含水率調整包装袋。
２．  吸湿層フイルムの表面積は外層フイルムの表面積の５％〜７０％である、１項に記載された含水率調整包装袋。
３．  外装フイルムが３０ｇ／ｍ２／１ａｔｍ・ｄａｙ以下の水蒸気透過度のフイルムである、１項又は２項に記載された含水率調整包装袋。
４．  吸湿層フイルムを内装フイルムまたは外装フイルムのずれかもしくは両方に接着する接着は、はヒートシールである、１項ないし３項のいずれか１項に記載された含水率調整包装袋。
５．  要求される吸湿性を有する一定量の吸湿剤を含有した一定面積の吸湿フイルムを水蒸気バリア性を有する外装フイルムとこれに積層した内装フイルムの間に配置し、外装フイルムの内面及び／又は内装フイルムの外層のいずれか一方または双方とヒートシールして固定し、内包する被包装物に要求される水分に内包物の水分量を調節する、含水量調整包装体。」
に関する。
【発明の効果】
【０００５】
本発明は、内包物の湿度を調整し、適切な状態で包装することができるので、内包物の変質を防ぎ、良好な状態で保存でき、しかも透明性であるので包装内容を外部から観察できる効果を奏する。
【発明を実施するための最良の形態】
【０００６】
本発明は、外面側の外層と内包物側の内層と、その間に配置した吸湿層とからなり、外層と内層は、線状低密度ポリエチレン、低密度ポリエチレン、中密度ポリエチレン、高密度ポリエチレン、ＥＶＡ、ＥＡＡ、ＥＭＡＡ、ＥＥＡ、アイオノマー、ポリプロピレン、及びそれらのブレンド物、若しくはエチレン−ブテン−１コポリマーとのブレンド物から選んだ合成樹脂フイルムで形成されおり、この合成樹脂は耐水蒸気透過性等のガス遮断性、機械強度が優れている等の性質があるので好ましい。吸湿層は、線状低密度ポリエチレン、ポリプロピレンから選んだポリマーに吸湿剤として１〜６０重量％のゼオライトをブレンドした、厚みが１０μｍ以上のフイルムで構成されている。線状低密度ポリエチレンとポリプロピレンは水蒸気透過度が低いので吸湿層の内外層として好ましい。なおゼオライトの外シリカゲルや生石灰を加えてもよいが、ゼオライトの吸湿力は良好であるので、好ましい吸湿剤である。
【０００７】
吸湿層は内層または外層、に溶融接合されている。そして吸湿層の表面積は外層フイルムの表面性の５％〜７０％であって、５％以下では、吸湿不足となり、７０％以上では吸湿よりも水蒸気透過度が大きくなり好ましくない。
外層を形成するフイルムは、水蒸透過度が３０ｇ／ｍ２／１ａｔｍ・ｄａｙ以下でなければならない。これ以上であると吸湿よりも水蒸気透過度が大きくなるので好ましくない。
【０００８】
吸湿層フイルムは、内層フイルムと外層フイルムに溶融接合されている。この状態であると透過する水蒸気を所定の時間内に吸収する効果がある。
本発明の包装袋は、食物、薬品等の湿気の影響を受ける物に好適に使用される。
【実施例】
【０００９】
実施例１
外層を１０μｍ厚みのＬＬＤＰＥで形成し、吸湿層をＬＬＤＰＥとゼオライトの５０％ブレンド物で、厚み３０μｍのフイルムで形成し、内層がＬＬＤＰＥ厚み１０μｍである積層フイルムでパウチを形成した。外装構成／水蒸気透過率(ｇ／ｍ２・ｄ)ＯＰ／ＣＰ→５であった。
１週間後の食感は○（３３％）    味覚  ○
４週間後の食感は○（３２％）    味覚  ○
であった。
【００１０】
実施例２〜９
表１に示す層構造を有する吸湿多層フイルムで形成した含水率調整包装袋である。
比較例１〜６
【００１１】
表１に示す層構造を有する包装袋である。
【００１２】
【表１】
2006103761.tif 000002
【００１３】
（注）
実施例４：ＯＰ／ＣＰはヒートシールＯＰ／ＣＰである。
比較例１：吸湿層が１０μｍ以下で薄いため、その吸水能力と外装フイルムから侵入してくる水蒸気とのバランスが取れない。食感よくない。味覚悪い。
比較例２：内外層の厚みが厚いために、包装内の水蒸気が吸湿層に到達するまでに時間がかかりすぎる。食感悪い。味覚悪い。
比較例３：吸湿層の吸湿剤（シリカゲルＡ）の吸湿能力が不足している。食感悪い。味覚悪い。
比較例４：吸湿層の能力が大きく、必要以上の水分を吸収してしまっている。食感悪い。味覚悪い。
比較例５：外装フイルムの水蒸気バリア性が足りないため、水蒸気吸収が追いつかない。食感悪い。味覚悪い。
比較例６：吸湿多層フイルムの内層（ｏｒ外層）と外装フイルムの内面とのシール密着が悪く、均一に吸水できず、含水量にバラツキがでている。食感悪い。味覚悪い。
【産業上の利用可能性】
【００１４】
本発明のパウチは、湿気を嫌う物に好適に使用されるが内包物を透視できるので、店頭に陳列する商品に広く用いられる。